(57)【要約】【課題】水配管や湯配管を容易に避けると共に、柔軟性管が撓んでトラップが形成されてしまうことのないミストサウナ機能付浴室暖房換気乾燥機の排水構造を提供する。【解決手段】側壁及び天板からなるカウンタを備えた床パンを浴室に設置し、前記カウンタの裏側の空間を水配管又は／及び湯配管が挿通される空間とし、浴室の天井裏にミストサウナ機能付浴室暖房換気乾燥機を設置し、前記カウンタの側壁に貫通口を形成すると共に、ミストサウナ装置から浴室壁の外側を垂下してカウンタの天板の浴室壁側の端部の外側を通って前記カウンタの側壁に形成した貫通口に至る排水路を設け、前記排水路はカウンタの天板の浴室壁側の端部から前記カウンタの側壁に形成した貫通口に至る部分を柔軟性管で形成し、前記貫通口に、該貫通口から後方に向けて角度調節自在に突出して任意の角度で保持可能な保形性を有するガイドを設け、該ガイドに前記柔軟性管を載置する。【選択図】図１
2009109042.tif 000002
【特許請求の範囲】
【請求項１】
洗い場の床面から起立する側壁及び該側壁の上端部から連設する天板からなるカウンタが一浴室壁側の端部に備えられた床パンを浴室に設置し、前記カウンタの側壁の裏側で且つ天板の下側の空間を水配管又は／及び湯配管が挿通される空間とし、浴室の天井裏にミストサウナ機能付浴室暖房換気乾燥機の装置本体を設置し、前記カウンタの側壁に貫通口を形成すると共に、装置本体から浴室壁の外側を垂下してカウンタの天板の浴室壁側の端部の外側を通って前記カウンタの側壁に形成した貫通口に至る排水路を設け、前記排水路はカウンタの天板の浴室壁側の端部から前記カウンタの側壁に形成した貫通口に至る部分を柔軟性管で形成し、前記貫通口に、該貫通口から後方に向けて角度調節自在に突出して任意の角度で保持可能な保形性を有するガイドを設け、該ガイドに前記柔軟性管を載置して成ることを特徴とするミストサウナ機能付浴室暖房換気乾燥機の排水構造。
【発明の詳細な説明】
【技術分野】
【０００１】
本発明は、ミストサウナ機能付きの浴室暖房換気乾燥機の排水構造に関するものである。
【背景技術】
【０００２】
従来より、浴室内でミストサウナを行うためのミストサウナ装置が知られている。ミストサウナ装置は、浴室内にミストを吐出して低温又は高温で高湿度の環境を作り出し、身体に掛かる負担を少なくして使用者の発汗を促すものである。
【０００３】
ミストサウナ装置は、装置本体を浴室内に設置するものと浴室外に設置するものがあるが、浴室内に設置スペースを取らないという点で浴室外に設置するものの方が優れている。また近年、浴室の天井裏に設置する浴室暖房換気乾燥機が普及してきているが、この浴室暖房換気乾燥機にミストサウナ機能を付与したものが開発されており（特許文献１参照）、このものは機能の多さと浴室内に設置スペースを取らないという点で優れている。以下、ミストサウナ機能付浴室暖房換気乾燥機を用いる場合について説明する。
【特許文献１】特開２００３−６５５５４号公報
【発明の開示】
【発明が解決しようとする課題】
【０００４】
ミストサウナ機能付浴室暖房換気乾燥機は、運転時に余剰水が発生するため、余剰水を排水する必要がある。余剰水は、屋外排水とすると配管が煩雑となるため、屋内排水として浴室からの排水と共に排水するのが適当である。ここで、浴室の洗い場となる部分に床パンを設置し、床パンの一浴室壁側の端部に、該床パンの床面から起立する側壁及び該側壁の上端部から連設する天板からなるカウンタを備えたものを対象として、以下に説明する。
【０００５】
この場合、洗い場からの排水と共に余剰水を排水することとなる。天井裏に設置したミストサウナ機能付浴室暖房換気乾燥機からの余剰水は、まず、ミストサウナ機能付浴室暖房換気乾燥機に接続された排水管に余剰水を排出する。排水管は、カウンタの側壁に形成した貫通口を介して浴室内に導入されるもので、ミストサウナ機能付浴室暖房換気乾燥機から浴室壁の外側を垂下してカウンタの天板の浴室壁側の端部の外側を通って前記カウンタの側壁に形成した貫通口に至るように配設される。
【０００６】
カウンタの側壁の裏側（浴室外側）であってカウンタの天板の下側の空間には、通常は水配管や湯配管を横引きしてあるため、上述した排水管をカウンタの側壁に形成した貫通口に導くためには、これら水配管や湯配管との干渉を回避しながら排水管を配設する必要がある。
【０００７】
しかしながら、排水管にゴム等の柔軟性管を用いると、排水管が撓んでトラップが形成されて、排水不良を引き起こしてしまうものであり、これに対して排水管が撓まないように可撓性の低い管を用いると、水配管や湯配管を避けながら排水管を配設する作業が煩雑となってしまうものであった。
【０００８】
本発明は上記従来の問題点に鑑みて発明したものであって、その目的とするところは、カウンタの裏側の空間に柔軟性管を配設する際に、該空間を挿通する水配管や湯配管を容易に避けて配設することができると共に、柔軟性管が撓んでトラップが形成されて排水不良を引き起こしてしまうことのないミストサウナ機能付浴室暖房換気乾燥機の排水構造を提供することを課題とするものである。
【課題を解決するための手段】
【０００９】
上記課題を解決するために請求項１に係るミストサウナ機能付浴室暖房換気乾燥機６の排水構造は、洗い場の床面から起立する側壁１１及び該側壁１１の上端部から連設する天板１２からなるカウンタ１が一浴室壁３１側の端部に備えられた床パン２を浴室３に設置し、前記カウンタ１の側壁１１の裏側で且つ天板１２の下側の空間４を水配管５１又は／及び湯配管５２が挿通される空間４とし、浴室３の天井３２裏にミストサウナ機能付浴室暖房換気乾燥機６の装置本体６１を設置し、前記カウンタ１の側壁１１に貫通口１０を形成すると共に、装置本体６１から浴室壁３１の外側を垂下してカウンタ１の天板１２の浴室壁３１側の端部の外側を通って前記カウンタ１の側壁１１に形成した貫通口１０に至る排水路６２を設け、前記排水路６２はカウンタ１の天板１２の浴室壁３１側の端部から前記カウンタ１の側壁１１に形成した貫通口１０に至る部分を柔軟性管６２ｂで形成し、前記貫通口１０に、該貫通口１０から後方に向けて角度調節自在に突出して任意の角度で保持可能な保形性を有するガイド７を設け、該ガイド７に前記柔軟性管６２ｂを載置して成ることを特徴とするものである。
【００１０】
このような構成とすることで、ガイド７を設けることで、柔軟性管６２ｂが下方に撓んでトラップが形成されて排水不良を引き起こしてしまうのが防止されると共に、ガイド７を配設するにあたって、ガイド７の角度を調節自在として水配管５１や湯配管５２との干渉を容易に避けることが可能となる。
【発明の効果】
【００１１】
本発明にあっては、浴室の天井裏に設置した装置本体からの余剰水を浴室からの排水と共に排水するにあたり、ガイドを設けることで、柔軟性管が下方に撓んでトラップが形成されて排水不良を引き起こしてしまうのが防止されると共に、ガイドを配設するにあたって、ガイドの角度を調節自在として水配管や湯配管との干渉を容易に避けることが可能となり、また更に、ガイドを傾斜させて保持することで、柔軟性管の水平な部分が長くなることによって、排水時に水平な部分に空気層ができて異音が発生するのを防止することができる。
【発明を実施するための最良の形態】
【００１２】
以下、本発明について添付図面に基づいて説明する。
【００１３】
本発明では浴室３は床ハーフ方式であって、浴室３の床面の洗い場となる部分に設置される床パン２と、浴槽３３が設置される部分に配置される支持枠３４と、支持枠３４に載設支持される浴槽３３と、エプロン３８と、床パン２の三辺の外端部及び浴槽３３の三辺の外端部に立設する壁パネル３１ａ及びドア枠（図示せず）と、天井パネル３２ａとで構成してある。
【００１４】
支持枠３４は少なくとも浴槽設置部３５を備えており、この支持枠３４上に床パン２を一体に設けてもよく、あるいは、床パン２と支持枠３４とは分離してあってもよい。
【００１５】
支持枠３４や床パン２の下面部には高さ調整機能を備えた脚部３６が設けてあり、更に、支持枠３４の上面部の隅部（図においては四隅部）に支柱３７が立設してある。
【００１６】
そして、洗い場となる部分においては、設置した床パン２の周縁部（但し、浴槽３３と隣接する端縁は除く）から上方に上記壁パネル３１ａを立設して浴室壁３１を形成し、浴槽３３が設置される部分においては、設置した浴槽３３の上端部のフランジ部３３ａの周縁部（但し、洗い場と隣接する端縁は除く）から上方に上記壁パネル３１ａを立設して浴室壁３１を形成し、浴室壁３１の上端部に上記天井パネル３２ａを載設して天井３２が形成してある。
【００１７】
浴室３の天井３２裏には、ミストサウナ機能付浴室暖房換気乾燥機６の装置本体６１を設置する。ミストサウナ機能付浴室暖房換気乾燥機６については一般に普及しているもので、特に限定はされないが、天井３２裏に装置本体６１を設置すると共に、装置本体６１と浴室３とをダクトや連通口を介して連通させる。
【００１８】
装置本体６１について説明すると、図示はしないが、装置本体６１には浴室３外に設置した給湯機能付き熱源機からの温水経路が接続されると共に、水道に接続される給水管と、余剰水を排水する排水部とが設けられる。装置本体６１には、浴室３内の空気を吸入すると共に再び吐出する循環路が形成してあり、この循環路内に、前記熱源機から温水経路を介して供給される温水にて循環路内を流れる空気を加熱する熱交換器が設置してある。また循環路は、循環路内を流れる空気を乾燥させる乾燥機能を備えると共に、循環路内に吸入した空気を外部に排気する排気手段を備えている。
【００１９】
また装置本体６１には、給水管を介して供給される温水をミストノズルに導くミスト配管が設けてあり、このミスト配管の途中に、前記熱源機から温水経路を介して供給される温水にてミスト配管を流れる水を加熱する熱交換器が設置してある。ミストノズルは、浴室３内に向けて温水をミストとして吐出するものである。
【００２０】
そして、装置本体６１から浴室３内に暖気を吐出して暖房を行なったり、あるいは浴室３内の空気を排出して浴室３外に排気することで換気を行ったり、あるいは浴室３内の空気を吸入して除湿を行うと共に再び浴室３内に吐出して乾燥を行ったり、あるいは、浴室３内にミストを吐出してミストサウナを行なったりすることができる。
【００２１】
装置本体６１の排水部には、浴室３外、すなわち天井３２裏と浴室壁３１の外側を通って、カウンタ１の側壁１１に形成した貫通口１０に至る排水路６２が接続される。この排水路６２は、本実施形態では例えば架橋ポリエチレン管６２ａからなる。
【００２２】
床パン２には、カウンタ１が形成される。カウンタ１は、一浴室壁３１側の端部に形成するもので、床部の前記端辺の近傍を該端辺に沿って上方に起立させて側壁１１を形成すると共に、側壁１１の上端部から一浴室壁３１側に向けて天板１２を連設し、天板１２をカウンタ１として使用するものである。また更に、天板１２の側端部からは上方に側縦片１３を連設し、側縦片１３の上端部に壁パネル３１ａを載置するようになっている。また、床パン２のカウンタ１の側壁１１の近傍には排水口２１が形成してある。
【００２３】
カウンタ１の側壁１１の裏側（浴室３外側）であってカウンタ１の天板１２の下側の空間４には、水配管５１や湯配管５２が横引き配置してある。装置本体６１の排水部に接続されている上記排水路６２は、天井３２裏と浴室壁３１の外側を垂下して、床パン２の側縦片１３の上端部近傍までは、例えば架橋ポリエチレン管６２ａを用い、その先の貫通口１０までの部分においては、ゴム管等の柔軟性管６２ｂを用い、両管は接続部材６２ｃを介して接続してある。
【００２４】
接続部材６２ｃは、床パン２の上記カウンタ１の上部の側縦片１３の裏側（浴室３外側）に位置しており、柔軟性管６２ｂは、側縦片１３に沿って垂下すると共に、側縦片１３の下端部であってカウンタ１の天板１２の浴室壁３１側の端部から貫通口１０にかけて配設されるが、この時、柔軟性管６２ｂが撓まないようにガイド７を設けるものである。ガイド７は、上方に凹となる断面形状をしたもので、例えば断面略コ字状や円弧状やその他形状であってもよい。このガイド７は、カウンタ１の天板１２の浴室壁３１側の端部の下側近傍から貫通口１０に至るように、水配管５１や湯配管５２を避けるように略直線状に傾斜して配置される。カウンタ１の側壁１１の貫通口１０を形成した部分には、貫通口部材８が取り付けられる。貫通口部材８は、カウンタ１の側壁１１の貫通口１０を設けた部分の表側に配設される表側部材８１と裏側に配設される裏側部材８２とからなる。表側部材８１は、その周端部がカウンタ１の側壁１１の表側面の貫通口１０を設けた部分の周囲に当接すると共に、前面に開口や多数の孔からなる水挿通部８０を有する覆い部からなる。また裏側部材８２は、カウンタ１の側壁１１の貫通口１０を挿通する筒部８３と、筒部８３のカウンタ１裏側の端部から連設されるフランジ部８４とを備え、フランジ部８４がカウンタ１の側壁１１の裏側面の貫通口１０を設けた部分の周囲に当接する。そして、ボルト・ナット等の固着具にて貫通口１０を介して表側部材８１と裏側部材８２とを連結して、表側部材８１と裏側部材８２とでカウンタ１の側壁１１を挟持して貫通口部材８を固定する。
【００２５】
また裏側部材８２には、ガイド７を角度調節自在に保持する支持部８６が設けられる。本実施形態では、ガイド７と同様の断面形状を有する水平部８５を裏側部材８２のフランジ部８４から後方に突設し、該水平部８５の後端部に支持部８６として軸部又は軸受部の一方を設ける。またガイド７の前端部には、前記支持部８６に嵌合する軸部又は軸受部の他方を設け、前記支持部８６とガイド７の軸部及び軸受部を回動可能に無理嵌めする。これにより、ガイド７は貫通口部材８に対して角度調節自在に保持される。
【００２６】
柔軟性管６２ｂは、ガイド７の上面の凹部内に収容されて脱落しないようにガイド７に載置され、柔軟性管６２ｂが下方に撓んで凸となるのが防止され、トラップが形成されて排水不良を引き起こすことが防止される。
【００２７】
上記のような構成によれば、浴室３の天井３２裏に設置した装置本体６１からの余剰水を浴室３からの排水と共に排水するにあたり、ガイド７を設けることで、柔軟性管６２ｂが下方に撓んでトラップが形成されて排水不良を引き起こしてしまうのが防止されると共に、ガイド７を配設するにあたって、ガイド７の角度を調節自在として水配管５１や湯配管５２との干渉を容易に避けることが可能となる。また、ガイド７を傾斜させて保持することで、柔軟性管６２ｂの水平な部分が長くなることによって、排水時に水平な部分に空気層ができて異音が発生するのを防止することができる。
【図面の簡単な説明】
【００２８】
【図１】本発明の一実施形態の浴室のカウンタ部分の側断面図である。
【図２】同上の浴室の分解斜視図である。
【図３】同上のカウンタ部分の平面図である。
【符号の説明】
【００２９】
１    カウンタ
１０  貫通口
１１  側壁
１２  天板
２    床パン
３    浴室
３１  浴室壁
３２  天井
４    空間
５１  水配管
５２  湯配管
６    ミストサウナ機能付浴室暖房換気乾燥機
６１  装置本体
６２  排水路
６２ｂ  柔軟性管
７    ガイド
【図１】
2009109042.tif 000003
【図２】
2009109042.tif 000004
【図３】
2009109042.tif 000005